(57)【要約】 【課題】  高い周波数かつ広い帯域でも高精度にウォブル信号を抽出することができるウォブル信号抽出回路の提供。【解決手段】  クロック入力端子ＣＬＫから制御クロックを入力し、このクロック周波数に対応するバイアス電圧を生成して出力する周波数電圧変換器１５と、ｇｍアンプとコンデンサとを構成要素とし、制御クロックを入力して、周波数電圧変換器１５からのバイアス電圧に応じるバイアス電流に従って遮断周波数が変わるｇｍ型の調整用ローパスフィルタ１３と、調整用ローパスフィルタ１３の入力と出力との位相を比較し、周波数電圧変換器１５に出力してバイアス電圧を調整する調整用位相比較器１４と、調整用ローパスフィルタ１３と実質的に同じ構成要素から構成され、光ディスクから読み出される原信号を入力してウォブル信号を出力する２段に直列接続されたｇｍ型の信号通過用のバンドパスフィルタ１１、１２と、を備えて構成される。【選択図】  図１
2005116107.tif 000002
【特許請求の範囲】
【請求項１】
光ディスクより入力する原信号からウォブル信号を抽出するウォブル信号抽出回路において、
制御クロックを入力し、その周波数に対応するバイアス電圧を生成して出力する周波数電圧変換器と、
ｇｍアンプとコンデンサとを構成要素とし、前記制御クロックを入力し、前記バイアス電圧に応じるバイアス電流に従って遮断周波数が変わる調整用ローパスフィルタと、
この調整用ローパスフィルタの入力と出力との位相を比較し、周波数電圧変換器に出力して前記バイアス電圧を調整する調整用位相比較器と、
調整用ローパスフィルタと実質的に同じ構成要素から構成され、前記原信号と前記バイアス電圧を入力してウォブル信号を出力するバンドパスフィルタと、
を備えてなることを特徴とするウォブル信号抽出回路。
【請求項２】
請求項１に記載のウォブル信号抽出回路において、
スイッチトキャパシタフィルタと、前記調整用ローパスフィルタと実質的に同じ構成要素から構成され、前記原信号と前記バイアス電圧を入力してスイッチトキャパシタフィルタに出力するアンチエイリアスフィルタと、前記調整用ローパスフィルタと実質的に同じ構成要素から構成され、スイッチトキャパシタフィルタの出力と前記バイアス電圧を入力してウォブル信号を出力するスムージングフィルタと、から構成され、前記バンドパスフィルタと並列に設けられた第２のバンドパスフィルタと、
前記バンドパスフィルタと前記第２のバンドパスフィルタの出力を選択する選択スイッチと、
をさらに備えてなることを特徴とするウォブル信号抽出回路。
【請求項３】
請求項１または２に記載のウォブル信号抽出回路を備え、光ディスクから読み出された原信号からウォブル信号を抽出し、光ディスクの回転制御を行うことを特徴とする光ディスク装置。
【発明の詳細な説明】
【技術分野】
【０００１】
本発明は、光ディスクより読み出された原信号からウォブル信号を抽出するウォブル信号抽出回路およびこれを用いた光ディスク装置に関する。
【背景技術】
【０００２】
この種の光ディスク装置は、これに搭載された光ディスクの回転を制御するために、光ディスクの記録可能エリアには、波形にうねった（ウォブリングした）案内溝が刻まれている。この案内溝のうねりは、記録されたデータとともに、ウォブル（Wobble）信号として光ディスクから読み出される。したがって、光ディスク装置は、データ処理を行う他に、ウォブル信号を原信号から抽出し、その情報に応じて光ディスクの回転制御が行われる。そして、ウォブル信号を抽出するウォブル信号抽出回路には、ＣＤ系光ディスク（例えばＣＤ−Ｒ、ＣＤ−ＲＷ）およびＤＶＤ系光ディスク（例えばＤＶＤ＋Ｒ、ＤＶＤ＋ＲＷ）の幾つかの倍速モードに対応して、ウォブル信号を抽出できることが要求される。なお、ＤＶＤ系光ディスクとして、さらに細かくは、−Ｒ／ＲＷ系、＋Ｒ系、−ＲＡＭ系に分類されるが、本明細書では、倍速モードの速度が最も速い＋Ｒ系を用いて説明する。
【０００３】
ウォブル信号抽出回路は、原信号からウォブル信号の帯域のみを通過させ、ウォブル信号の帯域以外を遮断するバンドパスフイルタ（ＢＰＦ）を有する（例えば、特許文献１）。このウォブル信号の帯域は、上記のＣＤ系、ＤＶＤ系の光ディスクの倍速モードによって変わるため、バンドパスフィルタの遮断周波数を変化させ得る必要がある。
【０００４】
従来より、バンドパスフィルタの遮断周波数を変化させ得るものとして、スイッチトキャパシタ型のバンドパスフィルタを用いたウォブル信号抽出回路がある。このウォブル信号抽出回路は、マイクロコントローラ等からの光ディスクの回転に同期した（ただし、周波数は高い）制御クロックを、サンプリングクロックとして入力することにより、バンドパスフィルタの遮断周波数を連続的に変化させることができる。このようなウォブル信号抽出回路はクロック追従型と呼ばれている。クロック追従型のウォブル信号抽出回路は、マイクロコントローラ等から光ディスクの回転数を示すコードを入力し、そのコードに従ってレジスタを書き換え、バンドパスフィルタを予め設定された内の１つの遮断周波数に切り換える方式に比べ、制御クロックの周波数を変化させるだけで上記の機能を達成できるので、制御を簡単に行うことができる。
【０００５】
図８にスイッチトキャパシタ型のバンドパスフィルタを用いたウォブル信号抽出回路を示す。このウォブル信号抽出回路１０１は、クロック入力端子ＣＬＫからサンプリングクロックを入力してその周波数に応じた帯域のみの信号を通過させるサンプリング回路としてのスイッチトキャパシタフィルタ（ＳＣＦ）１１１と、スイッチトキャパシタフィルタ１１１と原信号入力端子ＰＰ間にローパスフィルタとして介装されるアンチエイリアスフィルタ（ＡＡＦ）１１２と、スイッチトキャパシタフィルタ１１１と出力端子ＷＢ間にローパスフィルタとして介装されるスムージングフィルタ（ＳＭＦ）１１３と、から構成される。このアンチエイリアスフィルタ１１２により、スイッチトキャパシタフィルタ１１１の出力のウォブル信号が存在する帯域に、サンプリングクロックの周波数から折り返された成分（折り返しノイズ）が含まれないように、原信号に含まれるサンプリングクロックの周波数の１／２以上の成分が取り除かれる。また、スムージングフィルタ１１３により、スイッチトキャパシタフィルタ１１１により生じる上記折り返しノイズを含む高周波数成分が取り除かれる。このサンプリングクロックは、通常、ウォブル信号が存在する帯域よりも十分高い、例えば１桁乃至２桁高い周波数が使われる。
【０００６】
【特許文献１】特開２００１−１４３４０４号公報
【発明の開示】
【発明が解決しようとする課題】
【０００７】
現在、ＣＤ系光ディスクは２２．０５ＫＨｚの１倍速から１．２３５ＭＨｚの５６倍速までが規格化され、ＤＶＤ＋Ｒ系光ディスクは８１６．４ＫＨｚの１倍速から６．５３ＭＨｚの８倍速までが規格化されている。そして、ＤＶＤ系光ディスクでは、今後、さらに高速の規格が設けられることが想定される。ウォブル信号抽出回路には、前述のように、これらの種類の内、幾つかに対応してウォブル信号を抽出できるものが要求される。
【０００８】
しかし、ウォブル信号抽出回路に前述のスイッチトキャパシタ型のバンドパスフィルタを用いると、ＤＶＤ＋Ｒ系光ディスクの３．２７ＭＨｚの４倍速程度以上では、サンプリングクロックは非常に高い周波数が必要であり、そのようなサンプリングクロックを発生し制御することは極めて困難となる。また、スイッチトキャパシタフィルタの内部回路を構成する増幅器を、このように高い周波数のサンプリングクロックで動作させると特性のずれが生じ、その結果、スイッチトキャパシタフィルタの精度、すなわちスイッチトキャパシタ型のバンドパスフィルタの精度が低下する。
【０００９】
ところで、遮断周波数を連続的に変化させることができるバンドパスフィルタとして、ｇｍ（相互コンダクタンス）フィルタから構成されるｇｍ型のバンドパスフィルタが考えられる。このｇｍフィルタは、バイアス電流に応じてｇｍ（相互コンダクタンス）が決まる増幅器（ｇｍアンプ）とコンデンサを備える。そして、このバイアス電流を調整することにより、ｇｍとコンデンサの値で決まる時定数を変化させ、もってｇｍフィルタから構成されるｇｍ型のバンドパスフィルタの遮断周波数を連続的に変化させることができる。
【００１０】
このｇｍ型のバンドパスフィルタを用いてウォブル信号抽出回路を構成し、上記のクロック追従型とするには、光ディスクの回転速度に対応する制御クロックの周波数に対応してｇｍアンプにバイアス電流を流すため、そのバイアス電流に対応するバイアス電圧を出力する周波数電圧（ｆ−Ｖ）変換器が必要になる。この周波数電圧変換器を備え、かつ、ｇｍ型のバンドパスフィルタを用いたウォブル信号抽出回路の例を図９に示す。このウォブル信号抽出回路２０１は、原信号入力端子ＰＰから原信号を入力してウォブル信号を出力端子ＷＢに出力する１段のｇｍ型のバンドパスフィルタ２１１と、クロック入力端子ＣＬＫから制御クロックを入力してバイアス電圧を出力する周波数電圧（ｆ−Ｖ）変換器２１３と、を備える。このものにおける制御クロックは、遮断周波数よりも高くしなくてもよいのでそれを得ることは困難ではなく、ｇｍアンプも遮断周波数以上の高速動作は要求されない。
【００１１】
ところが、このウォブル信号抽出回路２０１は、光ディスクの広範囲の倍速モードにおいて、周波数電圧変換器２１３における周波数と電圧との比例あるいは反比例関係を維持し、さらに、バンドパスフィルタ２１１におけるバイアス電圧（またはバイアス電流）とｇｍとの比例あるいは反比例関係を維持するのは、周波数電圧変換器２１３およびバンドパスフィルタ２１１内部の寄生成分（寄生容量や寄生抵抗など）の影響により困難なものとなる。
【００１２】
本発明は、以上の事由に鑑みてなされたもので、その目的とするところは、高い周波数かつ広い帯域でも高精度にウォブル信号を抽出することができるウォブル信号抽出回路を提供し、それを用いて高速かつ広範囲の倍速モードに対応する光ディスク装置を提供することにある。
【課題を解決するための手段】
【００１３】
上記の課題を解決するために、請求項１に係るウォブル信号抽出回路は、光ディスクより入力する原信号からウォブル信号を抽出するウォブル信号抽出回路において、制御クロックを入力し、その周波数に対応するバイアス電圧を生成して出力する周波数電圧変換器と、ｇｍアンプとコンデンサとを構成要素とし、前記制御クロックを入力し、前記バイアス電圧に応じるバイアス電流に従って遮断周波数が変わる調整用ローパスフィルタと、この調整用ローパスフィルタの入力と出力との位相を比較し、周波数電圧変換器に出力して前記バイアス電圧を調整する調整用位相比較器と、調整用ローパスフィルタと実質的に同じ構成要素から構成され、前記原信号と前記バイアス電圧を入力してウォブル信号を出力するバンドパスフィルタと、を備えてなることを特徴とする。
【００１４】
請求項２に係るウォブル信号抽出回路は、請求項１に記載のウォブル信号抽出回路において、スイッチトキャパシタフィルタと、前記調整用ローパスフィルタと実質的に同じ構成要素から構成され、前記原信号と前記バイアス電圧を入力してスイッチトキャパシタフィルタに出力するアンチエイリアスフィルタと、前記調整用ローパスフィルタと実質的に同じ構成要素から構成され、スイッチトキャパシタフィルタの出力と前記バイアス電圧を入力してウォブル信号を出力するスムージングフィルタと、から構成され、前記バンドパスフィルタと並列に設けられた第２のバンドパスフィルタと、前記バンドパスフィルタと前記第２のバンドパスフィルタの出力を選択する選択スイッチと、をさらに備えてなることを特徴とする。
【００１５】
請求項３に係る光ディスク装置は、請求項１または２に記載のウォブル信号抽出回路を備え、光ディスクから読み出された原信号からウォブル信号を抽出し、光ディスクの回転制御を行うことを特徴とする。
【発明の効果】
【００１６】
本発明のウォブル信号抽出回路は、調整用ローパスフィルタと実質的に同じ構成要素から構成されるバンドパスフィルタを信号通過用に用いるので、高い周波数かつ広い帯域でも高精度にウォブル信号を抽出することができる。また、それを備える光ディスク装置は、光ディスクの高速かつ広範囲の倍速モードに対応することができる。
【発明を実施するための最良の形態】
【００１７】
以下、本発明の最良の実施形態を図面を参照しながら説明する。図１は本発明の実施形態である光ディスクから読み出される原信号からウォブル信号を抽出するウォブル信号抽出回路のブロック図である。このウォブル信号抽出回路１は、入出力部として、光ディスクの回転に同期する（回転速度に対応する）制御クロックをマイクロコントローラ等から入力するクロック入力端子ＣＬＫと、光ディスクから読み出される原信号を入力する原信号入力端子ＰＰと、抽出したウォブル信号を出力するウォブル信号出力端子ＷＢを有する。そして、クロック入力端子ＣＬＫから制御クロックが入力されると、その周波数に対応するバイアス電圧を生成して出力する周波数電圧（ｆ−Ｖ）変換器１５と、後述のようにｇｍアンプとコンデンサとを構成要素とし、クロック入力端子ＣＬＫから制御クロックが入力されるとともに、周波数電圧変換器１５からのバイアス電圧が入力され、そのバイアス電圧に応じるバイアス電流に従って遮断周波数が変わるｇｍ型の調整用ローパスフィルタ１３と、調整用ローパスフィルタ１３の入力（すなわち、制御クロック）と出力（すなわち、位相を変えられた制御クロック）との位相を比較して位相差に応じた電圧を周波数電圧変換器１５に出力し、周波数電圧変換器１５が出力するバイアス電圧を調整する調整用位相比較器１４と、調整用ローパスフィルタ１３と実質的に同じ構成要素から構成され、光ディスクから読み出した原信号が入力されるとともに、周波数電圧変換器１５からのバイアス電圧が入力されてウォブル信号を出力する２段に直列接続されたｇｍ型の信号通過用のバンドパスフィルタ１１、１２と、を備えて構成される。
【００１８】
このウォブル信号抽出回路１は次のように動作する。クロック入力端子ＣＬＫに入力した制御クロックは、周波数電圧変換器１５と調整用ローパスフィルタ１３とに入力される。周波数電圧変換器１５は、その周波数に対応するバイアス電圧を生成して調整用ローパスフィルタ１３および信号通過用のバンドパスフィルタ１１、１２に出力する。調整用ローパスフィルタ１３は、後述するように２次のローパスフィルタになっており、制御クロックの周波数が遮断周波数に一致すると９０度位相が回転して出力される。調整用位相比較器１４は、調整用ローパスフィルタ１３の出力信号の位相が入力信号に対して９０度回転していると調整用基準電圧ＶＲＥＦの１／２の電圧を周波数電圧変換器１５に出力し、位相がずれている場合、そのずれに応じて調整用基準電圧ＶＲＥＦの１／２よりも高いあるいは低い電圧を周波数電圧変換器１５に出力する。つまり、調整用位相比較器１４は、調整用ローパスフィルタ１３の入力と出力との位相について９０度の位相差からのずれを検出しているのである。こうして、このフィードバックにより、調整用ローパスフィルタ１３の入力と出力との位相差が９０度になるように周波数電圧変換器１５が出力するバイアス電圧が調整される。
【００１９】
調整用ローパスフィルタ１３と実質的に同じ構成要素から構成されている信号通過用のバンドパスフィルタ１１、１２は、上記の通り、周波数電圧変換器１５からのバイアス電圧が入力されているので、その遮断周波数は調整用ローパスフィルタ１３とほぼ等しくなる。したがって、クロック入力端子ＣＬＫからの制御クロックの周波数を遮断周波数とした信号通過用のバンドパスフィルタ１１、１２を得ることができるので、高い周波数かつ広い帯域でも高精度のバンドパスフィルタを実現でき、光ディスクの回転に同期する制御クロックを倍速モードに合わせて入力することで、広範囲の倍速モードに応じたウォブル信号を抽出することができる。
【００２０】
このウォブル信号抽出回路１では、調整用ローパスフィルタ１３にクロック入力端子ＣＬＫから制御クロックが直接入力されているが、他のフィルタ、例えばローパスフィルタを介在させても構わない。重要なことは、調整用ローパスフィルタ１３の入力と出力との位相を調整用位相比較器１４で比較し、９０度の位相差からのずれを検出することだからである。さらに、調整用ローパスフィルタ１３を２段またはそれ以上とし、１８０度またはそれ以上の位相差を中心として調整用位相比較器１４で比較することも可能である。
【００２１】
また、信号通過用のバンドパスフィルタ１１、１２は、光ディスク装置を構成する他の回路の特性に合わせて、２段に限らずさらに段数を増やしたり、逆に、バンドパスフィルタ１２を省略して１段にすることも可能である。
【００２２】
次に、ウォブル信号抽出回路１を構成する調整用ローパスフィルタ１３を、その内部回路である図２に基づいて詳細に説明する。この調整用ローパスフィルタ１３は、制御クロックを受ける入力端子ＩＮと、出力端子ＯＵＴを有し、差動アンプ３５と、４つのｇｍアンプ３１、３２、３３、３４と、４つのコンデンサ３６、３７、３８、３９と、により構成される。それぞれのｇｍアンプは、非反転入力端子と反転入力端子、および非反転出力端子と反転出力端子を有し、さらにバイアス電圧を入力するバイアス電圧入力端子ＢＩＡＳを有する。差動アンプ３５以外の部分は、実質的に同じ回路構成であるｇｍアンプ３１、３２とコンデンサ３６、３７とからなるｇｍフィルタ３０ａと、ｇｍアンプ３３、３４とコンデンサ３８、３９とからなるｇｍフィルタ３０ｂと、に分けることができる。
【００２３】
差動アンプ３５は、入力端子ＩＮの電圧を入力し、信号基準電圧Ｖｒｅｆを基準として差動電圧信号を生成する。その差動電圧信号は、ｇｍフィルタ３０ａの差動入力端子（ＩＮ＋、ＩＮ−）を通してｇｍアンプ３１の非反転入力端子、反転入力端子にそれぞれ入力される。それぞれ接続されたｇｍアンプ３１およびｇｍアンプ３２の非反転出力端子、反転出力端子は、コンデンサ３６、３７を介してそれぞれ接地されるとともに、ｇｍフィルタ３０ａの差動出力端子（ＯＵＴ＋、ＯＵＴ−）とｇｍフィルタ３０ｂの差動入力端子（ＩＮ＋、ＩＮ−）を通してｇｍアンプ３３の非反転入力端子、反転入力端子にそれぞれ接続される。それぞれ接続されたｇｍアンプ３３およびｇｍアンプ３４の非反転出力端子、反転出力端子はコンデンサ３８、３９を介してそれぞれ接地されるとともに、ｇｍフィルタ３０ｂの差動出力端子（ＯＵＴ＋、ＯＵＴ−）を通し、そして極性を逆にして、ｇｍフィルタ３０ａの帰還差動入力端子（ＦＢ＋、ＦＢ−）とｇｍフィルタ３０ｂの帰還差動入力端子（ＦＢ＋、ＦＢ−）を通してｇｍアンプ３２、３４の非反転入力端子、反転入力端子にそれぞれ接続される。ｇｍフィルタ３０ｂの差動出力端子（ＯＵＴ＋、ＯＵＴ−）の１つ（ＯＵＴ＋）は調整用ローパスフィルタ１３の出力端子ＯＵＴとなる。このように２段のｇｍフィルタにより構成されることにより、図３のＬＰＦの曲線に示すような２次のローパスフィルタの特性を得ることができるのである。
【００２４】
図４はｇｍフィルタ３０ａ（および３０ｂ）の詳細な回路図である。ｇｍフィルタ３０ａは、バイアス電圧を入力するバイアス電圧入力端子ＢＩＡＳと、差動入力端子ＩＮ＋、ＩＮ−と、帰還差動入力端子ＦＢ＋、ＦＢ−と、差動出力端子ＯＵＴ＋、ＯＵＴ−を有し、バイアス電圧入力端子ＢＩＡＳにゲートが接続されるＰ型ＭＯＳトランジスタ４１、４２と、差動入力端子ＩＮ＋、ＩＮ−にそれぞれベースが接続されるＮＰＮ型の差動対バイポーラトランジスタ４３、４４と、帰還差動入力端子ＦＢ＋、ＦＢ−にそれぞれベースが接続されるＮＰＮ型の差動対バイポーラトランジスタ４５、４６と、前述のコンデンサ３６、３７と、を有して構成される。バイアス電圧入力端子ＢＩＡＳから入力されるバイアス電圧に従って、Ｐ型ＭＯＳトランジスタ４１、４２がバイアス電流を生成し、このバイアス電流に応じて差動対バイポーラトランジスタ４３、４４と差動対バイポーラトランジスタ４５、４６のｇｍ（相互コンダクタンス）の値が変化する。その結果、このｇｍ値とコンデンサ３６、３７の容量値によりｇｍフィルタ３０ａの遮断周波数が決定されるのである。なお、引き込み側電流生成回路５０およびＮＰＮ型バイポーラトランジスタ５１乃至５３は、バイアス電流に合わせて引き込み側に電流を流す回路である。
【００２５】
次に、信号通過用のバンドパスフィルタ１１、１２について詳細に説明する。図５はバンドパスフィルタ１１（および１２）の内部回路である。このバンドパスフィルタ１１は、前述したように、調整用ローパスフィルタ１３と実質的に同じ構成要素から構成される。すなわち、入力端子ＩＮと、出力端子ＯＵＴを有し、差動アンプ３５と、４つのｇｍアンプ３１、３２、３３、３４と、４つのコンデンサ３６、３７、３８、３９と、により構成される。これらの構成要素の接続も調整用ローパスフィルタ１３とほぼ同じであるが、差動アンプ３５の差動電圧出力がコンデンサ３６、３７のそれぞれの一端に、接地電位に代えて接続され、ｇｍアンプ３１の非反転入力端子、反転入力端子は信号基準電圧Ｖｒｅｆにともに接続されている。この構成により、図３のＢＰＦの曲線に示すような２次のバンドパスフィルタの特性を得ることができ、バイアス電圧入力端子ＢＩＡＳから入力されるバイアス電圧に従って、遮断周波数が決定される。こうして、調整用ローパスフィルタ１３とバンドパスフィルタ１１とは、図３に示すようにほぼ等しい遮断周波数（ｆ０）となり、入力されるバイアス電圧に従って連動してフィルタ特性が変化する。なお、図３のＢＰＦ、ＬＰＦの曲線のＱ値（急峻さ）は構成要素の定数を変更することで任意に変更可能であることは勿論である。
【００２６】
次に、周波数電圧変換器１５を、その内部回路図である図６に基づいて詳細に説明する。クロック入力端子ＣＬＫから入力された制御クロックがハイレベルからローレベルに変わると、Ｎ型ＭＯＳトランジスタ６１はオフし、コンデンサ６２は、Ｐ型ＭＯＳトランジスタ７２からの電流Ｉａｄｊにより充電が行われる。このコンデンサ６２の電圧が、調整用基準電圧ＶＲＥＦを抵抗７３、７４により分割して生成した電圧ＶＲＥＦ／２に至るまでは、コンパレータ６３の出力はローレベルであり、充放電回路７０は充電される。コンデンサ６２の電圧が電圧ＶＲＥＦ／２を越えると、コンパレータ６３の出力はハイレベルになり、充放電回路７０は上記の充電時と等しい比率で放電される。そして、制御クロックがローレベルからハイレベルに変化した時にその電圧が保持され、電流に変換され出力される。この電流から、Ｐ型ＭＯＳトランジスタ７１を介してＰ型ＭＯＳトランジスタ７２の電流Ｉａｄｊが生成される。したがって、コンデンサ６２の電圧が電圧ＶＲＥＦ／２に至るまでの時間は電流Ｉａｄｊに反比例し、その時間が制御クロックのローレベル期間の１／２、すなわち制御クロックの周期の１／４ならば、充放電回路７０の充電時間と放電時間が等しくなり、電流Ｉａｄｊは一定に保たれる。こうして、制御クロックの周波数に応じた電流Ｉａｄｊを得ることができるのである。
【００２７】
また、調整用位相比較器１４からの調整電圧を入力端子ＦＢに受け、抵抗７５を介して上記の電圧ＶＲＥＦ／２が調整され、その結果、電流Ｉａｄｊが調整される。なお、前述したように、この調整電圧は、調整用ローパスフィルタ１３の入力と出力の位相差が９０度のときの電圧ＶＲＥＦ／２を中心として変動する。
【００２８】
バイアス電圧出力端子ＢＩＡＳは、Ｐ型ＭＯＳトランジスタ７１、７２のゲートに接続され、前述したように、調整用ローパスフィルタ１３、信号通過用のバンドパスフィルタ１１、１２において、このバイアス電圧をＰ型ＭＯＳトランジスタで受けることにより電流Ｉａｄｊに比例したバイアス電流を得ることができる。
【００２９】
次に、本発明の別の実施形態であるウォブル信号抽出回路について説明する。図７はそのブロック図である。このウォブル信号抽出回路２は、ウォブル信号抽出回路１よりもさらに広範囲の帯域のウォブル信号を抽出する場合に好適である。すなわち、前述したウォブル信号抽出回路１において、ｇｍ型の信号通過用バンドパスフィルタ１１、１２は、ｇｍアンプのｇｍを変化させることにより遮断周波数を変化させており、コンデンサの容量値は固定されているので、その遮断周波数の変動範囲はコンデンサの容量値の制約を受ける。そして、ＣＤ系光ディスクの１倍速程度の低速（低周波数）に対応させるには、ｇｍアンプのバイアス電流として制御が難しい過度に微小な電流が必要になり、加えて半導体集積装置と別部品で外付けとなる大きな容量値のコンデンサが必要となる場合もある。このウォブル信号抽出回路２は、低周波数では高精度で非常に有効であるスイッチトキャパシタ型の第２のバンドパスフィルタ２０を、ｇｍ型のバンドパスフィルタ１１、１２と並列に設けて選択スイッチ１９により出力を切り換え、ｇｍ型のバンドパスフィルタ１１、１２は高周波数用にすることで、より広範囲の帯域のウォブル信号を抽出するものである。
【００３０】
選択スイッチ１９は、光ディスクが高速の場合は、例えばＤＶＤ＋Ｒ系光ディスクの４倍速以上ではｇｍ型のバンドパスフィルタ１１、１２を選択し、それよりも低速の場合はスイッチトキャパシタ型の第２のバンドパスフィルタ２０を選択する。
【００３１】
第２のバンドパスフィルタ２０は、クロック入力端子ＣＬＫからの制御クロックをサンプリングクロックとして入力するスイッチトキャパシタフィルタ（ＳＣＦ）１６と、調整用ローパスフィルタ１３と実質的に同じ構成要素から構成され、原信号入力端子ＰＰから原信号を入力してスイッチトキャパシタフィルタ１６に出力するローパスフィルタであるアンチエイリアスフィルタ１７と、調整用ローパスフィルタ１３と実質的に同じ構成要素から構成され、スイッチトキャパシタフィルタ１６の出力を入力してウォブル信号を出力するローパスフィルタであるスムージングフィルタ１８と、から構成される。
【００３２】
アンチエイリアスフィルタ１７とスムージングフィルタ１８には、調整用ローパスフィルタ１３およびｇｍ型のバンドパスフィルタ１１、１２と同様に周波数電圧変換器１５が出力するバイアス電圧が入力される。したがって、第２のバンドパスフィルタ２０が選択される場合は、調整用ローパスフィルタ１４の遮断周波数に連動してアンチエイリアスフィルタ１７とスムージングフィルタ１８の遮断周波数が決まるのである。
【００３３】
また、スイッチトキャパシタフィルタ１６に入力するサンプリングクロックは、遮断周波数に比べて高い周波数でなければならないため、クロック入力端子ＣＬＫに入力する制御クロックの周波数を高くしなければならない。そのため、調整用ローパスフィルタ１３と周波数電圧変換器１５に入力する制御クロックとして、第２のバンドパスフィルタ２０が選択される場合は、分周器（ＤＩＶ）２１により分周して周波数を落としたクロックを用いることができるように、スイッチ２２を設けている。
【００３４】
以上のように、本発明の実施形態であるウォブル信号抽出回路１、２は、高い周波数かつ広い帯域でも高精度にウォブル信号を抽出することができる。したがって、このようなウォブル信号抽出回路１、２を備える光ディスク装置は、光ディスクの高速かつ広範囲の倍速モードに対応することができる。
【図面の簡単な説明】
【００３５】
【図１】本発明の実施形態に係るウォブル信号抽出回路のブロック図。
【図２】同上の調整用ローパスフィルタの回路図。
【図３】同上の調整用ローパスフィルタおよび信号通過用バンドパスフィルタの特性図。
【図４】同上のｇｍフィルタの回路図。
【図５】同上の信号通過用バンドパスフィルタの回路図。
【図６】同上の周波数電圧変換器の回路図。
【図７】本発明の別の実施形態に係るウォブル信号抽出回路のブロック図。
【図８】背景技術のウォブル信号抽出回路の回路図。
【図９】関連技術のウォブル信号抽出回路の回路図。
【符号の説明】
【００３６】
１、２  ウォブル信号抽出回路
１１、１２  バンドパスフィルタ
１３  調整用ローパスフィルタ
１４  調整用位相比較器
１５  周波数電圧変換器
１６  スイッチトキャパシタフィルタ
１７  アンチエイリアスフィルタ
１８  スムージングフィルタ
１９  選択スイッチ
２０  第２のバンドパスフィルタ
【図１】
2005116107.tif 000003
【図２】
2005116107.tif 000004
【図３】
2005116107.tif 000005
【図４】
2005116107.tif 000006
【図５】
2005116107.tif 000007
【図６】
2005116107.tif 000008
【図７】
2005116107.tif 000009
【図８】
2005116107.tif 000010
【図９】
2005116107.tif 000011